(57)【要約】【課題】大量の火薬を確実かつ安全に封入できる強い強度を有し、火薬と共に完全に焼尽し、簡便に製造できる安価な砲弾射撃用や空砲用の焼尽性容器を提供する。【解決手段】焼尽性容器１は、火薬４を筒状の容器本体３に充填して上蓋２で塞いで封入し砲身５の薬室に装填される焼尽性容器であって、該容器本体３と該上蓋２とが、草本植物に由来する繊維、灌木植物に由来する繊維、及び／又は喬木植物に由来する繊維を含んで成型されている。前記容器本体３と前記上蓋２とが、前記繊維を１５〜８０重量部と、ニトロセルロースを最大でも８０重量部と、バインダーを最大でも２０重量部とを含んでいる。前記草本植物が、ケナフ、アサ、アマ、アバカ、タケ、及びワタから選ばれる少なくとも何れかであり、前記灌木植物が、コウゾ、ミツマタ、及びガンピから選ばれる少なくとも何れかである。【選択図】図１
2008175464.tif 000002
【特許請求の範囲】
【請求項１】
火薬を筒状の容器本体に充填して上蓋で塞いで封入し砲身薬室に装填される焼尽性容器であって、該容器本体と該上蓋とが、草本植物に由来する繊維、灌木植物に由来する繊維、及び／又は喬木植物に由来する繊維を含んで成型されていることを特徴とする焼尽性容器。
【請求項２】
該容器本体と該上蓋とが、前記繊維を少なくとも１５重量％含んで成型されていることを特徴とする請求項１に記載の焼尽性容器。
【請求項３】
前記容器本体と前記上蓋とが、前記繊維を１５〜８０重量部と、ニトロセルロースを最大でも８０重量部と、バインダーを最大でも２０重量部とを含んでいることを特徴とする請求項１に記載の焼尽性容器。
【請求項４】
前記草本植物が、ケナフ、アサ、アマ、アバカ、タケ、及びワタから選ばれる少なくとも何れかであり、前記灌木植物が、コウゾ、ミツマタ、及びガンピから選ばれる少なくとも何れかであることを特徴とする請求項１に記載の焼尽性容器。
【請求項５】
前記繊維が、前記ケナフ、アサ、アマ、アバカ、及びタケの少なくとも何れかの茎の組織、前記ワタの綿花の組織、前記コウゾ、ミツマタ、及びガンピの少なくとも何れかの樹皮の組織であることを特徴とする請求項４に記載の焼尽性容器。
【発明の詳細な説明】
【技術分野】
【０００１】
本発明は、砲弾射撃や空砲の際、発射薬や点火薬等の火薬を封入して、砲身の薬室に装填するために使用される焼尽性容器に関するものである。
【背景技術】
【０００２】
大砲のような重火器の砲弾射撃の際には、発射薬や点火薬のような火薬が薄層の容器に封入されて、砲身の薬室に装填され、その上に弾丸が載置される。この火薬が点火されると爆発的な燃焼を引き起こし、その燃焼ガス圧力により弾丸が発射される。
【０００３】
この容器は、輸送・保管中、又は装填中に破損しない充分な強度と、火薬を燃焼させて弾丸を発射したり空砲で訓練したりする際に砲身内に燃焼残渣を残さない焼尽性とを、兼ね備えている必要がある。
【０００４】
このような容器の強度を向上させるために、例えば特許文献１には、燃焼性繊維が分散したスラリーを吸引抄造し、得られた粗筒体を雌金型に入れ、粗筒体の内側に可撓性膜袋体を挿入し、その袋体に加温した水を送り、温められた袋体と加熱した雌金型とで粗燃焼性筒体を両面から加熱しつつ圧搾して脱水固化させる燃焼性筒体の製造方法が記載されている。その燃焼性繊維として、ニトロセルロースとクラフトパルプとが用いられている。
【０００５】
特許文献２には、外周に沿って波打った形状を有し底板で塞がれた外側筒と、その中央で貫通した内側筒とが、ニトロセルロースとクラフトパルプとを主成分とする焼尽性材料で形成されており、それらの間に薬剤を充填する薬剤充填容器が、記載されている。
【０００６】
これらに用いられているクラフトパルプは、天然繊維の木材パルプである。
【０００７】
また、特許文献３には、ニトロセルロースのナイトレートエステル基の一部を不活性なエステル基で置換した難燃化性ニトロセルロースと、アラミド繊維等の補強用合成繊維との混合物で成形された焼尽性容器が記載されている。
【０００８】
クラフトパルプとニトロセルロースとを含むスラリーで容器を成型してもその強度は比較的弱い。さらにニトロセルロース類と疎水性の合成繊維とを水に混合しても均質なスラリーとなり難い。
【０００９】
最近の砲弾の大型化や発射速度の高速化のために火薬量を増加させることに伴い一層強い強度を有し、しかも均質なスラリーから歩留まり良く製造できる焼尽性の容器の開発が望まれていた。
【００１０】
【特許文献１】特開平０１−１８８４８４号公報
【特許文献２】特開２００５−１４０４５８号公報
【特許文献３】特開平０９−８９４９９号公報
【発明の開示】
【発明が解決しようとする課題】
【００１１】
本発明は前記の課題を解決するためになされたもので、大量の火薬を確実かつ安全に封入できる強い強度を有し、火薬と共に完全に焼尽し、簡便に製造できる砲弾射撃用や空砲用の焼尽性容器を提供することを目的とする。
【課題を解決するための手段】
【００１２】
前記の目的を達成するためになされた特許請求の範囲の請求項１に記載の焼尽性容器は、火薬を筒状の容器本体に充填して上蓋で塞いで封入し砲身薬室に装填される焼尽性容器であって、該容器本体と該上蓋とが、草本植物に由来する繊維、灌木植物に由来する繊維、及び／又は喬木植物に由来する繊維を含んで成型されていることを特徴とする。
【００１３】
請求項２に記載の焼尽性容器は、請求項１の焼尽性容器であって、該容器本体と該上蓋とが、前記繊維を少なくとも１５重量％含んで成型されていることを特徴とする。
【００１４】
請求項３に記載の焼尽性容器は、請求項１の焼尽性容器であって、前記容器本体と前記上蓋とが、前記繊維を１５〜８０重量部と、ニトロセルロースを最大でも８０重量部と、バインダーを最大でも２０重量部とを含んでいることを特徴とする。
【００１５】
このような焼尽性容器は、この繊維と必要に応じニトロセルロースやバインダーとが含まれたスラリーを漉き成形したものである。
【００１６】
請求項４に記載の焼尽性容器は、請求項１の焼尽性容器であって、前記草本植物が、ケナフ、アサ、アマ、アバカ、タケ、及びワタから選ばれる少なくとも何れかであり、前記灌木植物が、コウゾ、ミツマタ、及びガンピから選ばれる少なくとも何れかであることを特徴とする。
【００１７】
請求項５に記載の焼尽性容器は、請求項４の焼尽性容器であって、前記繊維が、前記ケナフ、アサ、アマ、アバカ、及びタケの少なくとも何れかの茎の組織、前記ワタの綿花の組織、前記コウゾ、ミツマタ、及びガンピの少なくとも何れかの樹皮の組織であることを特徴とする。
【発明の効果】
【００１８】
本発明の焼尽性容器は、草本植物や灌木植物や喬木植物により、強い引張強度や破断強度を示す。特に、この焼尽性容器に用いられる草本植物とりわけ縄や紙の原料となるケナフ等に由来する非木材繊維、又は灌木植物とりわけ和紙の原料となるコウゾ等に由来する非木材繊維が、従来の容器に用いられる針葉樹等の喬木植物に由来する木材パルプのような繊維よりも遥かに長い繊維長と繊維表面の強い粘り気とを有しているから絡み易いうえ強く絡み合って解され難いことに起因する。そのため、この焼尽性容器は、多量の火薬を封入したり、多数積み重ねたりしても、破損の恐れが無いというものである。
【００１９】
また、この焼尽性容器に用いられる草本植物、灌木植物又は喬木植物に由来する繊維もニトロセルロースも、火薬とともに極めて早く、完全に燃え尽きるものである。そのため、砲弾射撃等の際に、焼尽性容器が燃焼しても燃焼残渣を生じず、射撃する度に面倒な清浄処理をする必要がない。この焼尽性容器を用いると、安全かつ効率良く簡便に、連続して射撃を行うことができる。
【発明を実施するための好ましい形態】
【００２０】
以下、本発明の実施の好ましい形態について図１を参照しながら詳細に説明するが、本発明の範囲はこれらの形態に限定されるものではない。本発明を適用する焼尽性容器は、以下のように製造される。
【００２１】
草本植物であるアバカの茎を叩解して得た繊維の３０重量％と、ニトロセルロースと、バインダーである合成樹脂とを水に懸濁させて、スラリーを得る。スラリーを漉簀で吸引抄造した後、略円筒形の金型に押し付けて、加熱しながら圧搾して脱水固化させ、円筒状有底で上端近傍がやや細まった容器本体３を成形する。同様にして、容器本体３の上端に嵌合する上蓋２を成形する。容器本体３に火薬４を充填し、容器本体３の上端近傍の外周に、接着剤を塗った後、容器本体３の上端に上蓋２を嵌合し、焼尽性容器１を得る。
【００２２】
なお、焼尽性容器に用いられる繊維は、草本植物及び／又は灌木植物に由来するものであってもよく、それに代えて又はそれとともに喬木植物に由来するものであってもよい。
【００２３】
草本植物の内、ケナフはアオイ科植物、アサは麻とも称されアサ科植物、アマは亜麻とも称されアマ科植物、アバカはマニラ麻とも称されバナナ科植物であって、いずれの乾燥した茎の靭皮部からも、繊維を含有した組織が採取される。またタケは竹とも称されイネ科植物であって、乾燥した中空木本状茎から、繊維を含有した組織が採取される。ワタは綿とも称されアオイ科植物で、綿花から繊維を含有した組織が採取される。
【００２４】
灌木植物の内、コウゾは楮とも称されクワ科低木植物、ミツマタは三椏とも称されジンチョウゲ科低木植物、ガンピは雁皮とも称されジンチョウゲ科低木植物で、いずれの乾燥した樹皮からも、繊維を含有した組織が採取される。
【００２５】
喬木植物は、針葉樹であっても広葉樹であってもよいが、クラフトパルプの原材であることが好ましく、未晒し品であることが好ましい。
【００２６】
採取された組織は乾燥された後、裂かれたり解されたり必要に応じ切断されたり、化学的パルプ化処理されたりして、平均径５〜４０μｍで平均長３〜１２ｍｍの繊維となる。脱脂綿のように脱脂されてもよい。
【００２７】
焼尽性容器は、上記繊維の１５〜８０重量％と、ニトロセルロースの０〜８０重量％と、必要に応じて合成樹脂の０〜２０重量％とを含んでいることが好ましい。上記繊維の量が１５重量％を下回ると、焼尽性容器の所期の強度が得られない。また、ニトロセルロースを含んでいると、完全に燃焼し易くなるが、必要に応じ含まなくてもよい。一方、ニトロセルロースの量が８０重量％を上回ると、焼尽性容器の所期の強度が得られない。焼尽性容器は、合成樹脂を含まず、上記繊維とニトロセルロースと水とからなるスラリーによって得られていてもよい。
【００２８】
バインダーは、乳化重合スチレンブタジエンゴムや溶液重合スチレンブタジエンゴムのような合成樹脂が挙げられる。
【００２９】
焼尽性容器の形状は、筒型であれば特に限定されない。例えば、円筒状、角筒状、外周が波打った円筒状あってもよく、中空を有するドーナツ状であってもよい。
【００３０】
本発明を適用する焼尽性容器は、以下のようにして使用される。
【００３１】
図１に示すように、砲身５の薬室内の砲尾６側に、焼尽性容器１と、その上に砲弾（不図示）とを装填し、砲尾６に付設されている閉鎖機７により、砲尾６を閉鎖する。砲尾６に設けられた火管（不図示）を発火させると、砲尾６側の焼尽性容器１内にある火薬４の燃焼を誘起する。火薬４の燃焼が開始した部位は非常に迅速に逐次、周りの火薬４の燃焼を誘発する。その結果、火薬４の燃焼は瞬時に爆発的な燃焼となって進行し、燃焼ガスの圧力により、砲弾が押し出され、発射される。
【００３２】
焼尽性容器は、焼尽性であるため燃焼残渣を残さずに、完全燃焼する。そのため、砲身内やそれの薬室内の壁面は汚染されることがなく清浄が維持される。砲弾発射後、閉鎖機を開け、同様の操作が、繰り返される。
【実施例】
【００３３】
以下に、本発明を適用する焼尽性容器について具体的に説明する。
【００３４】
先ず、本発明を適用する焼尽性容器に含まれる草本植物及び／又は灌木植物に由来する非木材の繊維の強度、及び本発明を適用する焼尽性容器に含まれる喬木植物に由来する木材繊維の強度を評価した。
【００３５】
（繊維の強度評価試験）
本発明を適用する焼尽性容器の容器本体と上蓋とに含まれる繊維、本発明適用外の焼尽性容器に含まれる繊維の引っ張り強度及び破断強度を評価した。
【００３６】
（試験片Ａの作製）
アバカの茎を叩解して平均繊維長３〜１２ｍｍとした繊維の３０重量部とニトロセルロースの７０重量部とを水に分散させたスラリーを吸引抄造した後、圧搾乾燥させて密度が約０.６０ｇ／ｃｍ３のディスク状試験片Ａ１を二つ得た。また、密度が約０.７０，０.８０及び０.９０ｇ／ｃｍ３のディスク状試験片Ａ２〜Ａ４を夫々二つずつ得た。
【００３７】
（試験片Ｂの作製）
針葉樹の未晒し品の木質部を叩解して平均繊維長２〜４．５ｍｍとした繊維を用いたこと以外は、試験片Ａの作製と同様にして、ディスク状試験片Ｂ１〜Ｂ４を夫々二つずつ得た。
【００３８】
(対照試験片Ｄの作製)
針葉樹の晒し品の木質部を叩解して平均繊維長２〜４．５ｍｍとした木材繊維を用いたこと以外は、試験片Ａの作製と同様にして、ディスク状の対照試験片Ｄ１〜Ｄ４を夫々二つずつ得た。
【００３９】
試験片群Ａ〜Ｂと対照試験片群Ｄとについて、引張強度試験を行った。
【００４０】
（１）引張強度評価
ＪＩＳ  Ｋ６２５１に準じ、作製した試験片Ａ１〜Ａ４、Ｂ１〜Ｂ４、対照試験片Ｄ１〜Ｄ４をダンベル片に切り出し、引張強度試験を行った。
【００４１】
その結果をまとめて図２に示す。図２から明らかな通り、試験片Ａ〜Ｂは何れも、対照試験片Ｄよりも引張強度が強かった。特に試験片Ａは、対照試験片Ｄよりも約１．５倍も引張強度が強かった。このことは、試験片Ａ〜Ｂで用いた草本植物や灌木植物に由来する非木材繊維の方が、対照試験片Ｄで用いた喬木植物由来の木材繊維よりも、長い繊維長と繊維表面の強い粘り気とを有していることに起因していると推察される。
【００４２】
また、別な試験片群Ｃと対照試験片群Ｅとを試作し、破断強度試験を行った。
【００４３】
（２）破断強度評価
アバカの茎を叩解して平均繊維長３〜１２ｍｍとした繊維の３０重量部とニトロセルロースの６０重量部とスチレン-ブタジエン共重合体の１０重量部とを主成分とする焼尽性材料を水中に分散、混合したスラリーを吸引抄造した後、圧搾乾燥させて密度が約０.８８及び０．９８ｇ／ｃｍ３の試験片Ｃ１〜Ｃ２を作製した。一方、対照試験片Ｄの作製と上記と同様に針葉樹の晒し品の木質部を叩解して平均繊維長２〜４．５ｍｍとした木材繊維の３０重量部とニトロセルロースの６０重量部とスチレン-ブタジエン共重合体の１０重量部とからなる焼尽性材料を水中に分散、混合したスラリーを吸引抄造した後、圧搾乾燥させて、密度が約０.９０及び０．９８ｇ／ｃｍ３の対照試験片Ｅ１〜Ｅ２を作製した。前記の引張強度評価と同様にして引張強度を測定した。この引張強度をそのときの破断面積で除して、破断強度を算出した。その結果を図３に示す。図３から明らかな通り破断強度評価は、引張強度評価と同様な傾向を示した。
【００４４】
これらの結果は、草本植物や灌木植物に由来する非木材繊維を含む焼尽性容器は、喬木植物に由来する木材パルプのような繊維を含む容器よりも、引張強度や破断強度が強くなることを示している。
【００４５】
次に、本発明を適用する焼尽性容器を試作した例を実施例１に示す。
【００４６】
（実施例１）
ニトロセルロースの６０重量部と、アバカの茎を叩解し得られる繊維の３０重量部と、スチレン-ブタジエン共重合体の１０重量部とからなる焼尽性材料を水中に分散し、混合したスラリーを吸引して粗成形物とした。次いで、この粗成形物を金型で圧搾成形することにより焼尽性容器を得た。
【産業上の利用可能性】
【００４７】
本発明の焼尽性容器は、火薬を重火器の砲身に安全かつ簡便に装填して砲弾射撃や儀礼用又は訓練用の空砲の際に用いられる。
【００４８】
この焼尽性容器は、充分な強度を有するので、積上げて保管したり輸送したり、重い砲弾を射撃するために砲身に積み重ねて装填したりできる。また、この焼尽性容器は、完全に燃え尽き、射撃後のたびに砲身内を清浄する必要がないので、迅速に連続して射撃するのに有用である。
【図面の簡単な説明】
【００４９】
【図１】本発明を適用する焼尽性容器の実施の一例を示す側面の断面図である。
【００５０】
【図２】本発明を適用する焼尽性容器に用いられる繊維と、本発明適用外の焼尽性容器に用いられる繊維とについて引張強度と密度との相関関係のグラフを示す図である。
【００５１】
【図３】本発明を適用する焼尽性容器に用いられる繊維と、本発明適用外の焼尽性容器に用いられる繊維とについて破断強度と密度との相関関係のグラフを示す図である。
【符号の説明】
【００５２】
１は焼尽性容器、２は上蓋、３は容器本体、４は火薬、５は砲身、６は砲尾、７は閉鎖機である。
【図１】
2008175464.tif 000003
【図２】
2008175464.tif 000004
【図３】
2008175464.tif 000005